(57)【要約】【課題】磁界変調記録において磁界の高速変調と再生のための高い直流磁界の発生とが効率がよく行われ、且つ動作の安定した光磁気記録装置を提供すること。【解決手段】磁気ヘッドに、情報の記録時に記録媒体に印加するための高周波磁界を発生する第１のコイル３１Ｃと、第１のコイル３１Ｃの外周に同心状に配置され情報の再生時に記録媒体に印加するための直流磁界を発生する第２のコイル３２Ｃとが設けられており、情報の記録時において、第１のコイル３１Ｃが発生する高周波磁界によって第２のコイル３２Ｃに流れる誘導電流を低減するように、第２のコイル３２Ｃに電流を流す。【選択図】      図１２
2006059531.tif 000002
【特許請求の範囲】
【請求項１】
磁気ヘッドおよび光ヘッドを備え、前記磁気ヘッドおよび前記光ヘッドが記録媒体に対して移動することにより、前記記録媒体に情報を記録しまたは記録された情報の再生を行う光磁気記録装置であって、
前記磁気ヘッドに、情報の記録時に前記記録媒体に印加するための高周波磁界を発生する第１のコイルと、前記第１のコイルの外周に同心状に配置され情報の再生時に前記記録媒体に印加するための直流磁界を発生する第２のコイルとが設けられており、
情報の記録時において、前記第１のコイルが発生する高周波磁界によって前記第２のコイルに流れる誘導電流を低減するように、前記第２のコイルに電流を流す、
ことを特徴とする光磁気記録装置。
【発明の詳細な説明】
【技術分野】
【０００１】
本発明は、光と磁気を利用して記録媒体に情報を記録しまたは再生する光磁気記録装置に関する。
【背景技術】
【０００２】
光磁気記録装置（光磁気ディスク装置）は、磁界変調記録による大容量化が可能であり、しかも転送速度および信頼性に優れていることから、コンピュータの主要な記憶装置として普及しつつある。したがって、磁界変調記録において効率がよく動作の安定した磁気ヘッドおよびその周辺機構の開発が望まれている。
【０００３】
図１８は従来の光磁気記録装置８０の構成を示す図である。
【０００４】
図１８において、円盤状の光磁気ディスクＰＭＤは、その中心部がマグネットなどによって装置本体に回転自在に固定され、図示しない軸を中心として回転する。光磁気ディスクＰＭＤの下面には光ヘッドＰＨが配置され、上面には磁気ヘッドＭＨｊが配置される。磁気ヘッドＭＨｊは、情報の記録および再生に必要なバイアス磁界を光磁気ディスクＰＭＤに印加する。
【０００５】
光ヘッドＰＨは、リニアモータなどによって光磁気ディスクＰＭＤの半径方向に移動する。光磁気ディスクＰＭＤが回転し、光ヘッドＰＨが移動することにより、光磁気ディスクＰＭＤの所定のアドレス位置に情報が記録される。なお、光磁気記録装置８０におけるリニアモータなどの移動機構については、特開平５−２３４１７４号公報を参照することができる。
【０００６】
光磁気ディスクＰＭＤでは、記録密度が高くなってマーク（磁区領域）長が短くなると、光変調記録よりも磁界変調記録の方が有利となる。磁界変調記録では、光磁気ディスクＰＭＤの表面で小型軽量の磁気ヘッドを浮上させ、コイルに電流を流すことにより、記録または再生に必要な磁界を印加する。光磁気ディスクＰＭＤにはいくつかの種類があるが、磁界変調記録に対応したものの中には、再生時に３００エルステッド以上の強い直流磁界が必要なものがある（例えば、磁気超解像媒体など）。一方、記録時には、磁界の高速変調が必要であり、これらを両立させることは非常に困難である。
【０００７】
従来において、記録用磁気ヘッド、再生用磁気ヘッド、初期化用磁気ヘッド、およびバランス用磁気ヘッドなどを、１つのヨークに取り付け、または個別に取り付けることが提案されている（特開平１０−１４９５９６号）。
【０００８】
また、特開平６−６８４０２号には、磁気ヘッドの上方同軸上に、漏洩磁界を相殺するためのコイルを設置し、光磁気ディスクがその周囲から廻り込んでくる漏洩磁界の影響を受けないようにした光磁気記録装置が開示されている。
【発明の開示】
【発明が解決しようとする課題】
【０００９】
上に述べた特開平１０−１４９５９６号の装置においては、複数の磁気ヘッドが設けられるが、いずれかの磁気ヘッドが光磁気ディスクのマークに対して偏位するので、情報の記録または再生における効率と安定性の面で問題が残る。
【００１０】
また、特開平６−６８４０２号の装置では、追加されたコイルは数十エルステッド程度の微小な漏洩磁界を相殺することが目的であり、磁界変調記録された光磁気ディスクの再生に必要な高い磁界を得るには不適である。
【００１１】
また、従来の磁気ヘッドを退避させない状態で、それとは分離独立して再生用ヘッドを配置し、その再生用ヘッドによって再生磁界を印加することが考えられる。しかし、これによると、再生用ヘッドが磁気ヘッドに近い場合には、再生磁界を印加することによって磁気ヘッドが再生用ヘッドに吸着され、再生用ヘッドを磁気ヘッドから離した場合には磁気ヘッドが光磁気ディスクの表面に叩きつけられるという不具合の生じるおそれがある。
【００１２】
本発明は、上述の問題に鑑みてなされたもので、磁界変調記録において磁界の高速変調と再生のための高い直流磁界の発生とが効率がよく行われ、且つ動作の安定した光磁気記録装置を提供することを目的とする。
【課題を解決するための手段】
【００１３】
本発明の１つの形態によると、光磁気記録装置は、磁気ヘッドおよび光ヘッドを備え、前記磁気ヘッドおよび前記光ヘッドを円盤状の記録媒体に対して移動することにより、前記記録媒体に情報を記録しまたは記録された情報の再生を行う。前記磁気ヘッドに、情報の記録時に前記記録媒体に印加するための高周波磁界を発生する第１のコイルと、前記第１のコイルの外周に同心状に配置され情報の再生時に前記記録媒体に印加するための直流磁界を発生する第２のコイルとが設けられており、情報の記録時において、前記第１のコイルが発生する高周波磁界によって前記第２のコイルに流れる誘導電流を低減するように、前記第２のコイルに電流を流す。
【発明の効果】
【００１４】
本発明によると、磁界変調記録において磁界の高速変調と再生のための高い直流磁界の発生とが効率がよく行われ、且つ動作の安定した光磁気記録装置が提供される。
【発明を実施するための最良の形態】
【００１５】
〔第１の実施形態〕
図１は第１の実施形態に係る光磁気記録装置１の構成を示す図、図２は光磁気記録装置１の磁気ヘッドＭＨの近傍を示す平面図、図３は磁気ヘッドＭＨの構成を示す平面図、図４は光磁気記録装置１の制御装置５０の構成を示すブロック図である。  図１において、光磁気記録装置１は、光磁気ディスク（記録媒体）ＰＭＤ、磁気ヘッドＭＨ、レンズＬを含む光ヘッドＰＨ、磁気ヘッドＭＨを移動する移動装置１１、および、シークのためにこれら全体を移動する移動機構１２などからなる。
【００１６】
光磁気ディスクＰＭＤは、その中心部がマグネットなどによって装置本体に回転自在に固定されており、図示しない軸を中心として回転する。光磁気ディスクＰＭＤの下面に光ヘッドＰＨが配置され、上面に磁気ヘッドＭＨが配置される。磁気ヘッドＭＨは、情報の記録および再生に必要な磁界を光磁気ディスクＰＭＤに印加する。
【００１７】
図２および図３に示すように、磁気ヘッドＭＨは、スライダー２１、第１のコイル３１、第２のコイル３２、および支持アーム２２からなる。第１のコイル３１および第２のコイル３２は、互いに半径方向（図の矢印Ｍ１方向）に距離ＳＴ１をあけてスライダー２１に取り付けられる。
【００１８】
第１のコイル（記録用コイル）３１は、光磁気ディスクＰＭＤへの情報の記録時に、光磁気ディスクＰＭＤに印加するための変調された高周波磁界（バイアス磁界）を発生する。第１のコイル３１は、インダクタンスが比較的小さく、高速で磁界を反転させることが可能である。
【００１９】
第２のコイル（再生用コイル）３２は、情報の再生時に光磁気ディスクＰＭＤに印加するための直流磁界を発生する。第２のコイル３２は、インダクタンスが比較的大きく、３００〜４００エルステッド程度の強い磁界を発生させることが可能である。
【００２０】
スライダー２１は、支持アーム２２に支持され、光磁気ディスクＰＭＤの回転によってその表面から一定の距離だけ浮遊する。これによって、第１のコイル３１および第２のコイル３２は、記録時および再生時において、光磁気ディスクＰＭＤの表面から一定の距離が保たれる。
【００２１】
支持アーム２２はバネ材などからなり、その基部２２ａが、支持部２４によって半径方向（矢印Ｍ１方向）に移動可能に支持される。支持部２４には永久磁石が設けられ、支持アーム２２の基部２２ａに取り付けられた駆動コイル２３に電流を流すことにより、それらの間に電磁力による駆動力が発生する。この駆動力によって、支持アーム２２が矢印Ｍ１方向に移動する。駆動コイル２３の電流の向きによって、駆動力の方向が正逆反転する。つまり、支持部２４と駆動コイル２３とによって移動装置１１が構成される。移動装置１１は、移動機構１２に適当な方法で取り付けられる。なお、支持部２４の永久磁石は、移動機構１２の永久磁石を兼用してもよい。
【００２２】
移動装置１１による移動距離は、第１のコイル３１の中心と第２のコイル３２の中心との距離ＳＴ１に等しい。そして、磁気ヘッドＭＨは、移動装置１１によって、情報の記録時に第１のコイル３１が光磁気ディスクＰＭＤの記録すべき磁区領域（マークまたはドメインともいう）に対応する位置に、情報の再生時に第２のコイル３２が光磁気ディスクＰＭＤの再生すべき磁区領域に対応する位置に、それぞれ位置するように移動される。
【００２３】
すなわち、移動装置１１の作動によって、記録時または再生時に、第１のコイル３１または第２のコイル３２がそれぞれ磁区領域（つまり、光ヘッドＰＨで形成されるビームスポットの位置）に対応するよう切り換えられる。
【００２４】
移動装置１１により支持された磁気ヘッドＭＨ、および光ヘッドＰＨは、シークのために移動機構１２によって光磁気ディスクＰＭＤの半径方向に移動する。移動機構１２として、例えばＶＣＭと呼称されるリニアモータが用いられる。
【００２５】
光磁気ディスクＰＭＤが回転し、磁気ヘッドＭＨおよび光ヘッドＰＨが移動することにより、光磁気ディスクＰＭＤの所定のアドレス位置に情報が記録され、または再生される。
【００２６】
図４において、光磁気記録装置１の制御装置５０は、制御部５１、高周波出力部５２、および直流出力部５３などからなる。
【００２７】
高周波出力部５２は、光磁気ディスクＰＭＤに記録すべき情報に基づいて高周波電流を変調し、変調された高周波電流を第１のコイル３１に出力する。直流出力部５３は、適当な強さの直流磁界を発生させるための直流電流を第２のコイル３２に出力する。これら、高周波出力部５２および直流出力部５３それ自体の構成および機能は公知である。
【００２８】
制御装置５０は、記録時または再生時に応じて、これら高周波出力部５２および直流出力部５３の動作を制御する。また、移動装置１１を制御し、記録時に第１のコイル３１が、再生時に第２のコイル３２が、それぞれ磁区領域に対応するように切り換える。そして、光磁気ディスクＰＭＤの所定のアドレスに情報の記録が行われるよう、また所定のアドレスから情報の再生が行われるよう、移動機構１２を含む全体を制御する。移動装置１１の制御を除いて、制御装置５０それ自体の構成および機能は公知である。
【００２９】
このように、光磁気記録装置１では、記録用の第１のコイル３１および再生用の第２のコイル３２を、それぞれ別個独立して設けるとともに、それらを光磁気ディスクＰＭＤの半径方向に所定の間隔をあけて配置する。そして、磁気ヘッドＭＨを半径方向に移動することによって、記録位置と再生位置とに切り換える。これによって、磁界変調記録において磁界の高速変調と再生のための高い直流磁界の発生とが効率がよく行われ、且つ動作の安定した光磁気記録再生が行える。  なお、磁気ヘッドＭＨを移動装置１１によって移動したが、移動装置１１を備えることなく、元々備えられる移動機構１２を利用して磁気ヘッドＭＨを移動するように構成することも可能である。例えば、記録時または再生時において、第１のコイル３１または第２のコイル３２がそれぞれ磁区領域に対応するように移動機構１２によって移動するとともに、光ヘッドＰＨから射出されるレーザ光のスポットがその磁区領域に当たるように光学系を制御する。
〔第２の実施形態〕
次に、第２の実施形態の光磁気記録装置１Ｂについて説明する。
【００３０】
第２の実施形態の光磁気記録装置１Ｂでは、第１のコイル３１と第２のコイル３２とを光磁気ディスクＰＭＤの周方向に沿って所定の間隔をあけて配置する点、およびスライダー２１を周方向に沿って移動させる点が、第１の実施形態の光磁気記録装置１と異なる。他の構成については、図１に示す光磁気記録装置１および図４に示す制御装置５０と同様である。
【００３１】
図５は第２の実施形態の光磁気記録装置１Ｂの磁気ヘッドＭＨＢの構成を示す平面図、図６は磁気ヘッドＭＨＢの近傍を示す正面図、図７は磁気ヘッドＭＨＢの近傍を示す平面図である。
【００３２】
図５に示すように、支持アーム２２Ｂの先端に設けられたスライダー２１Ｂには、第１のコイル３１および第２のコイル３２が、互いに周方向（図の矢印Ｍ２方向）に距離ＳＴ２をあけて取り付けられる。
【００３３】
図６および図７に示すように、支持アーム２２Ｂは、移動装置１１Ｂの支持部２４Ｂに対し軸２５を中心に回転可能に支持される。支持アーム２２Ｂの基部には駆動コイル２３Ｂが取り付けられる。
【００３４】
駆動コイル２３Ｂに電流を流すことにより、支持部２４Ｂに設けられた永久磁石との間に電磁力による駆動力が発生する。この駆動力によって、支持アーム２２Ｂが軸２５を中心として回転する。支持アーム２２Ｂの回転によって、スライダー２１Ｂが周方向に移動する。駆動コイル２３Ｂの電流の向きに応じて、支持アーム２２Ｂが左回転または右回転する。支持部２４Ｂ、駆動コイル２３Ｂ、および軸２５などによって、移動装置１１Ｂが構成される。移動装置１１Ｂは、図１に示す移動機構１２に取り付けられる。なお、支持部２４Ｂの永久磁石は、移動機構１２の永久磁石と兼用してもよい。
【００３５】
このように、第２の実施形態の光磁気記録装置１Ｂでは、記録用の第１のコイル３１および再生用の第２のコイル３２を、それぞれ別個独立して設けるとともに、それらを光磁気ディスクＰＭＤの周方向に所定の間隔をあけて配置する。そして、支持アーム２２Ｂの回転によって磁気ヘッドＭＨを周方向に移動することにより、記録位置と再生位置とに切り換える。これにより、第１の実施形態と同様の効果が得られる。支持アーム２２Ｂを軸２５によって支持するので、機構が簡単である。
【００３６】
上に述べた磁気ヘッドＭＨＢでは、支持アーム２２Ｂを軸２５を中心として回転させたが、支持アーム２２Ｂを平行移動させることによってスライダー２１を周方向に移動させてもよい。
【００３７】
次に、第２の実施形態におけるそのような変形例について説明する。
【００３８】
図８は第２の実施形態の変形例の磁気ヘッドＭＨＢｂの近傍を示す正面図、図９は磁気ヘッドＭＨＢｂの近傍を示す平面図である。
【００３９】
これらの図に示すように、支持アーム２２Ｂは、移動装置１１Ｂｂの支持部２４Ｂに対し、ガイド部材２６、２７によって図９の矢印Ｍ３方向に沿って平行移動可能に支持される。支持アーム２２Ｂの基部には駆動コイル２３Ｂが取り付けられる。
【００４０】
駆動コイル２３Ｂに電流を流すことにより、支持部２４Ｂに設けられた永久磁石との間に電磁力による駆動力が発生する。この駆動力によって、支持アーム２２Ｂが矢印Ｍ３方向に移動する。これによって、スライダー２１Ｂが周方向に移動する。支持部２４Ｂ、駆動コイル２３Ｂ、およびガイド部材２６、２７などによって、移動装置１１Ｂｂが構成される。
【００４１】
この変形例によっても、上の第２の実施形態と同じ効果が得られる。しかも、スライダー２１Ｂが平行移動するので、第１のコイル３１および第２のコイル３２の光磁気ディスクＰＭＤに対する姿勢が変化しないという利点がある。
〔第３の実施形態〕
次に、本発明の第３の実施形態の光磁気記録装置１Ｃについて説明する。
【００４２】
第３の実施形態の光磁気記録装置１Ｃの磁気ヘッドＭＨＣでは、第２のコイル（再生用）３２Ｃを、第１のコイル（記録用）３１Ｃの外周に同心状に配置する。磁気ヘッドＭＨＣにおいて、第１のコイル３１Ｃの中心と第２のコイル３２Ｃの中心とは一致する。したがって、第３の実施形態では、第１および第２の実施形態のような移動装置１１，１１Ｂおよびそのための制御は不要である。また、第３の実施形態では、第１のコイル３１Ｃおよび第２のコイル３２Ｃに流す電流波形が他の実施形態とは異なる。その他の構成については、第１の実施形態と同様である。
【００４３】
図１０は第３の実施形態の光磁気記録装置１Ｃの磁気ヘッドＭＨＣの構成を示す平面図、図１１は図１０に示す磁気ヘッドＭＨＣの正面図、図１２は光磁気記録装置１Ｃの制御装置５０Ｃの構成を示すブロック図、図１３は記録時にコイルに流れる電流波形を示す図、図１４は再生時にコイルに流れる電流波形を示す図、図１５は磁気ヘッドＭＨＣによる磁界の状態を示す図、図１６は理想的な記録状態および再生波形を示す図、図１７は誘導電流の影響があった場合の記録状態および再生波形を示す図である。
【００４４】
図１０および図１１に示すように、支持アーム２２Ｃの先端に設けられたスライダー２１Ｃには、第１のコイル３１Ｃおよび第２のコイル３２Ｃが同心状に配置され、取り付けられる。ここに用いられる第２のコイル３２Ｃは、例えば、空心コイルでもよく、またはコアに線を巻き付けたコイルでもよい。支持アーム２２Ｃは、図１に示す移動機構１２に適当な方法によって取り付けられる。
【００４５】
図１２において、制御装置５０Ｃは、制御部５１Ｃ、高周波出力部５２、直流出力部５３、および切換え部５４，５５からなる。高周波出力部５２および直流出力部５３は、第１の実施形態と同様な構成および機能を有する。
【００４６】
切換え部５４，５５は、記録時または再生時に応じて、高周波出力部５２または直流出力部５３の出力を第１のコイル３１Ｃまたは第２のコイル３２Ｃに供給するよう切り換える。切換え部５４，５５には、振幅、電流値、または位相などを調整するための調整回路がそれぞれ含まれる。
【００４７】
すなわち、記録時においては、図１３に示すように、第１のコイル３１Ｃには方形波状の電流ＣＷが供給され、第２のコイル３２Ｃには、第１のコイル３１Ｃからの誘導電流を打ち消すために適当な振幅の方形波状の電流ＣＲが供給される。また、再生時においては、図１４に示すように、第２のコイル３２Ｃには直流の電流ＣＲが供給され、第１のコイル３１Ｃにも、同じ方向の直流磁界を発生するために適当な値の直流の電流ＣＷが供給される。
【００４８】
ここで、これら電流ＣＷ，ＣＲの作用について説明する。
【００４９】
記録時において、第１のコイル３１Ｃには、図１５（Ａ）に示す方形波状の高周波電流が流れる。本来であれば、この電流によって、電流の波形と同じ高周波磁界が発生し、図１６（Ａ）に示すようにトラック上に磁区ＭＫが記録される。この記録領域を再生すると、図１６（Ｂ）に示すような波形の再生信号が得られる。
【００５０】
ところが、第１のコイル３１Ｃに高周波電流が流れると、第２のコイル３２Ｃには、図１５（Ｂ）に示すような誘導電流が流れる。この誘導電流は、第１のコイル３１Ｃに流れる電流の微分波形を有し、その大きさはコイルのインダクタンスに依存する。第２のコイル３２Ｃに誘導電流が流れると、それによる磁界が発生する。この磁界は、第１のコイル３１Ｃにより発生する記録用の磁界と方向が逆であるため、記録用の磁界が減少し、例えば図１５（Ｃ）に示すような波形となる。そうすると、記録に必要な磁界が不足するおそれがある。例えば、この磁界によると、図１７（Ａ）に示すように、記録された磁区領域の境界が不明瞭となる。これを再生すると、図１７（Ｂ）に示すように、再生信号の波形のエッジがシャープにならず、ジッタが増大して読み出しエラーを発生する要因となる。
【００５１】
そこで、上に述べたように、第２のコイル３２Ｃに生じる誘導電流を打ち消すような電流ＣＲを供給する。このときの電流ＣＲの波形は、例えば第１のコイル３１Ｃと同じ波形の電流とする。電流ＣＲの大きさは、２つのコイルの相互インダクタンスに依存する。第２のコイル３２Ｃに流す電流ＣＲによって、誘導電流が打ち消され、記録のための磁界がなまることがなく、確実で安定した記録が行われる。
【００５２】
再生時において、両方のコイルに同じ方向の電流ＣＲ，ＣＷが流れることにより、発生する直流磁界が増大し、再生時に大きな磁界を必要とする光磁気ディスクＰＭＤであっても、情報の再生が安定して確実に行われる。
【００５３】
制御装置５０Ｃは、記録時または再生時に応じて、これら高周波出力部５２、直流出力部５３、および切換え部５４，５５の動作を制御する。また、光磁気ディスクＰＭＤの所定のアドレスに情報の記録または再生が行われるよう、移動機構１２を含む全体を制御する。
【００５４】
上に述べた実施形態において、光磁気ディスクＰＭＤは、光磁気記録装置の内部に固定したもの、または着脱容易な可搬型のもののいずれでもよい。磁気ヘッドＭＨ，ＭＨＢ，ＣＭＨＣまたは光磁気記録装置１，１Ｂ，１Ｃの全体または各部の構造、形状、寸法、個数、材質、電流の波形、制御の内容またはタイミングなどは、本発明の趣旨に沿って適宜変更することができる。
【図面の簡単な説明】
【００５５】
【図１】第１の実施形態に係る光磁気記録装置の構成を示す図である。
【図２】光磁気記録装置の磁気ヘッドの近傍を示す平面図である。
【図３】磁気ヘッドの構成を示す平面図である。
【図４】光磁気記録装置の制御装置の構成を示すブロック図である。
【図５】第２の実施形態の光磁気記録装置の磁気ヘッドの構成を示す平面図である。
【図６】磁気ヘッドの近傍を示す正面図である。
【図７】磁気ヘッドの近傍を示す平面図である。
【図８】第２の実施形態の変形例の磁気ヘッドの近傍を示す正面図である。
【図９】磁気ヘッドの近傍を示す平面図である。
【図１０】第３の実施形態の光磁気記録装置の磁気ヘッドの構成を示す平面図である。
【図１１】図１０に示す磁気ヘッドの正面図である。
【図１２】光磁気記録装置の制御装置の構成を示すブロック図である。
【図１３】記録時にコイルに流れる電流波形を示す図である。
【図１４】再生時にコイルに流れる電流波形を示す図である。
【図１５】磁気ヘッドによる磁界の状態を示す図である。
【図１６】理想的な記録状態および再生波形を示す図である。
【図１７】誘導電流の影響があった場合の記録状態および再生波形を示す図である。
【図１８】従来の光磁気記録装置の構成を示す図である。
【符号の説明】
【００５６】
１Ｃ  光磁気記録装置
１２  移動機構
３１Ｃ  第１のコイル
３２Ｃ  第２のコイル
５０Ｃ  制御装置
５１Ｃ  制御部
ＭＨＣ  磁気ヘッド
ＰＨ  光ヘッド
ＰＭＤ  光磁気ディスク（記録媒体）
【図１】
2006059531.tif 000003
【図２】
2006059531.tif 000004
【図３】
2006059531.tif 000005
【図４】
2006059531.tif 000006
【図５】
2006059531.tif 000007
【図６】
2006059531.tif 000008
【図７】
2006059531.tif 000009
【図８】
2006059531.tif 000010
【図９】
2006059531.tif 000011
【図１０】
2006059531.tif 000012
【図１１】
2006059531.tif 000013
【図１２】
2006059531.tif 000014
【図１３】
2006059531.tif 000015
【図１４】
2006059531.tif 000016
【図１５】
2006059531.tif 000017
【図１６】
2006059531.tif 000018
【図１７】
2006059531.tif 000019
【図１８】
2006059531.tif 000020